(57)【特許請求の範囲】
【請求項１】
機器本体の前面を覆っていて操作パネル等を有してなるエスカッションの開閉機構において、
前記前面よりも奥まった位置で且つ該前面の全高さに対する中間位置の部位にて機器本体に一端側が枢支され、エスカッションの上端近傍の部位にて他端側が枢支されている第１の揺動アームと、
第１の揺動アームの機器本体における枢支点よりも前方寄りで且つ低い位置の部位にて機器本体に一端側が枢支され、エスカッションが機器本体を覆った状態における第１の揺動アームの各枢支点に対して中間位置をなした部位にて他端側がエスカッションに枢支されている第２の揺動アームと、
第１の揺動アームにおける一端側の枢支点と共通の位置の回転中心を有して回転可能にしている回転板と、
前記回転板を一方向に回転駆動する回転駆動部と、
一端側が前記回転板の周縁近傍の部位にて枢支され、他端側が第２の揺動アームの各枢支点に対して中間部位にて枢支されていて、前記回転板の回転に基づく当該一端側の枢支点による前後方向の揺動動作を第２の揺動アームに伝達する揺動伝達アームと、
エスカッションによる所定の開放状態と閉塞状態とに対応させて前記回転板の回転位置を設定していて当該回転位置を検出する開閉状態検出手段と、
開閉状態検出手段による検出結果に基づいてエスカッションを開放位置又は閉塞位置に停止せしめる定位置停止手段とを備えた、
ことを特徴とする電子機器におけるエスカッションの開閉機構。
【請求項２】
前記回転板は、ほぼラジアル方向に延びるスリットを有してなり、
前記揺動伝達アームは、一端側が前記スリット中を摺動可能にして該スリットに係支されている、
ことを特徴とする請求項１記載の電子機器におけるエスカッションの開閉機構。
【発明の詳細な説明】
【０００１】
【発明の属する技術分野】
本発明は、電子機器の機器本体の前面を覆っていて操作パネル等を有してなるエスカッションの開閉機構に関するものである。
【０００２】
【従来の技術】
車両のコンソールパネルに装着されているオーディオ機器等の電子機器はその前面に、例えばコンパクトディスク（ＣＤ）等の記憶媒体の挿入口を備え、機器本体の損傷や塵埃の付着を防止するために該前面を開閉可能に覆うようにしたエスカッションを備え、その開放状態で記憶媒体を出し入れ可能にしている。このエスカッションは一般に、前面に電子機器の操作パネルや各表示部等を備えていて前面のデザインの役割も兼ねている。
【０００３】
図６，図７は従来のこの種の電子機器におけるエスカッションの開閉機構を示す側面図で、図６は機器本体の前面側を閉塞している状態を示し、図７は機器本体の前面側を開放している状態を示している。尚、以降の各図面は、紙面と平行な平面的な構成に基づいてその機能を説明するために用意したものであるから、各構成要素が立体的に配設されていて線が隠れている部分についても便宜上、両者を実線で示している。各図において、１は電子機器の機器本体、２は機器本体１の前面部（同図における右端面部）を開閉可能に覆うようにしたエスカッションである。エスカッション２の前面（同図における右端面）には、図示しない操作パネルや各表示部等を備えている。
【０００４】
３は第１の揺動アームで、機器本体１の前面よりも奥まった位置で且つ該前面の全高さの中間位置をなした部位に枢支点３Ａを有して一端側が枢支され、そしてエスカッション２の上端近傍の部位に枢支点３Ｂを有して他端側が枢支されていて、一端側の枢支点３Ａを中心とした揺動に基づくエスカッション２の上端部の上下方向移動位置を規制している。
【０００５】
４は第２の揺動アームで、第１の揺動アーム３における一端側の枢支点３Ａよりも低い位置で且つ前方寄りの位置をなした部位に枢支点４Ａを有して一端側が枢支され、エスカッション２が機器本体１を覆った状態における第１の揺動アーム３の各枢支点３Ａ，３Ｂに対して中間位置の部位に枢支点４Ｂを有して他端側がエスカッション２に枢支されていて、一端側の枢支点４Ａを中心とした揺動に基づく他方の枢支点４Ｂの前後方向移動位置を規制している。第２の揺動アーム４は又、その一端側から延びる延長端に駆動作動点４Ｃを有し、該駆動作動点４Ｃに図示しない駆動部が連結されていて、一端側の枢支点４Ａを中心に揺動（往復回動）駆動される。
【０００６】
図６に示す閉塞状態においては、第１の揺動アーム３における他端側の枢支点３Ｂは最上位置にあり、第２の揺動アーム４における他端側の枢支点４Ｂが第１の揺動アーム３における他端側の枢支点３Ｂの直下にある。そして第１の揺動アーム３が時計方向に揺動駆動されて図７に示す開放状態においては、他端側の枢支点３Ｂが下方に移動しており、第２の揺動アーム４も時計方向に揺動して、他端側の枢支点４Ｂが第１の揺動アーム３における他端側の枢支点３Ｂの斜め前方に移動していて機器本体１の前面上部を開放させている。
【０００７】
【発明が解決しようとする課題】
上記のような機器本体が自動車等の限られた場所に設置される場合には、エスカッションがその開閉動作を通じて機器本体の上下に極力出張ることなしに充分に開放され、且つ開閉作動に関わる構成部材も機器本体の下方等に出張らないようにすることが要求される。上記の構成によると、各枢支点３Ｂ，４Ｂ間を近づけて設定すれば開放状態においてエスカッションの下端が機器本体の下面よりも出張らないようにすることが可能であるが、第１の揺動アーム３の枢支点３Ｂを回動中心としてエスカッションを回動させるために、駆動作動点４Ｃにおいて回転角を小さくしてトルクを大きく設定しなければならないので、駆動部を大きくしたり枢支点４Ａ，４Ｃ間を大きくする必要があってスペースを多く要し又、各枢支点３Ｂ，４Ｂに無理な力が働くので好ましくなかった。
【０００８】
上記の課題を解決するために本発明は、駆動部の動作を単純化してエスカッションの開閉機能を向上させた電子機器におけるエスカッションの開閉機構を提供することを目的とする。
【０００９】
【課題を解決するための手段】
上記の目的を達成するために請求項１の発明は、機器本体の前面よりも奥まった位置で且つ該前面の全高さに対する中間位置の部位にて機器本体に一端側が枢支されエスカッションの上端近傍の部位にて他端側が枢支されている第１の揺動アームと、第１の揺動アームの機器本体における枢支点よりも前方寄りで且つ低い位置の部位にて機器本体に一端側が枢支されエスカッションが機器本体を覆った状態における第１の揺動アームの各枢支点に対して中間位置をなした部位にて他端側がエスカッションに枢支されている第２の揺動アームと、第１の揺動アームにおける一端側の枢支点と共通の位置の回転中心を有して回転可能にしている回転板と、該回転板を一方向に回転駆動する回転駆動部と、一端が回転板の周縁近傍の部位にて枢支され他端側が第２の揺動アームの各枢支点に対して中間部位にて枢支されていて回転板の回転に基づく当該一端側の枢支点による前後方向の揺動動作を第２の揺動アームに伝達する揺動伝達アームとを備え、そして開閉状態検出手段によって、エスカッションによる所定の開放状態と閉塞状態とに対応させた回転板の回転位置を検出し、その検出結果に基づいて定位置停止手段によって、エスカッションを開放位置又は閉塞位置に停止させる。
【００１０】
そして請求項２の発明は、請求項１における回転板が、ほぼラジアル方向に延びるスリットを有し、揺動伝達アームの一端側が前記スリット中を摺動可能に係支されていて、回転板の回転に基づいて揺動伝達アームの一端側が該摺動を伴って該一端の枢支点による前後方向の揺動動作を第２の揺動アームに伝達して、請求項１におけると同様に作用する。
【００１１】
【発明の実施の形態】
以下、本発明の好ましい実施の形態について添付図面を参照しつつ説明する。図１は本発明の実施の形態例を示す電子機器におけるエスカッションの開閉機構図である。そして図２，図３，図４，図５は動作順に示した該エスカッションの開閉動作説明図であり、図２はエスカッションの閉塞状態を示し、図３は開放状態を示し、図４は開放状態から閉塞状態に移行する過程の状態を示し、図５は閉塞状態に移行した直後の状態を示す図である。尚、各図において各要素を共通に備えているが便宜上、適宜に各要素を一部省略して記載している。
【００１２】
図１において、１は図６，図７におけると同様な電子機器の機器本体、２は同様にエスカッションである。以降に説明する一連の各要素は、機器本体１の側壁とエスカッション２の側部とに取り付けられている。１１は第１の揺動アームで、機器本体１の前面よりも奥まった位置で且つ該前面の全高さの中間位置をなした部位に枢支点１１Ａを有して一端側が枢支され、そしてエスカッション２の上端近傍の部位に枢支点１１Ｂを有して他端側が枢支されていて、一端側の枢支点１１Ａを中心とした揺動に基づくエスカッション２の上端部の上下方向移動位置を規制している。
【００１３】
１２は第２の揺動アームで、第１の揺動アーム１１における一端側の枢支点１１Ａよりも低い位置で且つ前方寄りの位置をなした部位に枢支点１１Ａを有して一端側が枢支され、エスカッション２が機器本体１を覆った状態における第１の揺動アーム１１の各枢支点１１Ａ，１１Ｂに対して中間位置の部位に枢支点１２Ｂを有して他端側がエスカッション２に枢支されていて、一端の枢支点１２Ａを中心とした揺動に基づく他端側の枢支点１２Ｂの前後方向移動位置を規制している。第２の揺動アーム１２は後記する揺動伝達アーム１８によって一端側の枢支点１２Ａを中心に揺動（往復回動）される。
【００１４】
１３は回転板で、第１の揺動アーム１１における一端側の枢支点１１Ａと共通の位置に回転中心を有して回転可能にし、周囲にカム１４を有して、後記する揺動伝達アーム１９の一端側を係支させるために、ラジアル方向に延びるスリット１５を備えている。１６は回転駆動部としての制御用のモータであり、直流電源によって一方向に回転駆動される。回転板１３は又カム１４の層と重ね合わされてハスバ歯車１７備え、該ハスバ歯車１７とモータ１６に備えたウォームギア１８とが歯合されていていて、モータ１６の回転を減速させて回転板１３に伝達してこれを同図に示す時計方向に回転させる。
【００１５】
１９は揺動伝達アームで、一端側がこれに植設された係合ピン１９Ａによってスリット１５中を摺動可能に係支されている。そして第２の揺動アーム１２の各枢支点１２Ａ，１２Ｂに対して中間位置をなした部位に枢支点１９Ｂを有して他端側が枢支されていて、回転板１３と揺動伝達アーム１９とでクランク機構をなし、回転板１３の回転に基づく係合ピン１９Ａの前後方向の揺動動作を第２の揺動アーム１２に伝達する。上記の第１の揺動アーム１１と、第２の揺動アーム１２と、揺動伝達アーム１９とは、エスカッション２と共にリンク機構を構成している。
【００１６】
回転板１３が時計方向に回転してエスカッション２が図１又は図２に示す閉塞状態の近傍においてスリット１５は、揺動伝達アーム１９を反時計方向から時計方向に移行させるべく回転位置が設定されており、以降の開放を可能にするために、即ち揺動伝達アーム１９を時計方向に回動させる初期の過程で、係合ピン１９Ａがスリット１５中を回転板１３の外周寄り側に係止させるようにしている。そしてこの閉塞状態から開放状態への移行を可能にするために、スリット１５と揺動伝達アーム１９との角度θ１は、９０°以上になることが禁止されて７０°以下にすることが望ましく、この場合、図２に示すように約５０°に設定されている。
【００１７】
ＳＷ１，ＳＷ２は開閉状態検出スイッチで、カム１４と共に開閉状態検出手段をなしている。カム１４は、その時計方向に回転する際の図１又は図２に示す閉塞完了状態に対応させて、スイッチＳＷ１，ＳＷ２が共にオフの状態からスイッチＳＷ２がオンに移行するように設定され、そして図３に示す開放完了状態に対応させて、スイッチＳＷ１がオフ、ＳＷ２がオンの状態からスイッチＳＷ２がオフに移行するように設定されている。
【００１８】
回転板１３が時計方向に回転して図３に示す開放状態の近傍においてスリット１５は、揺動伝達アーム１９を時計方向から反時計方向に変えてエスカッション２を閉塞状態に移行させるようにしており、該開放状態で揺動伝達アーム１９の方向がスリット１５の方向とほぼ一致するように各枢支点１２Ｂ，１９Ｂの位置が設定されている。そしてこのとき係合ピン１９Ａはスリット１５中を回転板１３の中心寄り側に係止させるようにしている。
【００１９】
開放状態から閉塞状態に移行する過程の図４に示す状態においては、スイッチＳＷ１がオン、ＳＷ２がオフになっていて、同図に示すように係合ピン１９Ａが下降成分を有する回転領域から上昇成分を有する回転領域に移行する時点においては、閉塞状態への移行を可能にするために、スリット１５と揺動伝達アーム１９との角度θ２は９０°以下であることが禁止されるが、開放状態と閉塞状態とにおいてスリット１５と揺動伝達アーム１９との関係位置が上記のように設定されたことによって、該角度θ２が約１００°になっていてその必要条件が満たされている。
【００２０】
閉塞状態に移行した直後の図５に示す状態においては、スイッチＳＷ１，ＳＷ２が共にオフになっていて、同図に示しているようにスリット１５と揺動伝達アーム１９とは方向が一致して以降は、図１に示す閉塞状態即ちスイッチＳＷ２がオンになるまでの過程で、エスカッション２による閉塞状態が維持された上で、係合ピン１９Ａがスリット１５中を回転板１３の中心寄りの係止位置から外周寄りの係止位置に移行する。
【００２１】
図示していないが、機器本体１中には、エスカッション２を開閉制御する開閉制御回路と、モータ１６を一方向に回転させるようにした駆動回路とを備えている。該開閉制御回路は、本発明の定位置停止手段をなし、その停止位置として図２に示す閉塞状態（停止条件：ＳＷ１がオフ、ＳＷ２がオン）と、図３に示す開放状態（停止条件：ＳＷ１，ＳＷ２が共にオフ）とが設定されている。
【００２２】
以上の構成において、図示しない開放指定スイッチが操作されると、そのとき図２に示す閉塞状態（ＳＷ１がオフ、ＳＷ２がオン）ならば、該開閉制御回路は、モータ１６を始動させ、その後にＳＷ２がオフになるとその時点でモータ１６を停止させて図２に示す開放状態にする。又、制御電源がオフ状態でエスカッション２が手動操作されて、ＳＷ１，ＳＷ２が共にオフ（図５に示す閉塞状態）に移動されている場合には、モータ１６が始動された後に、図２に示す閉塞状態（ＳＷ１がオフ、ＳＷ２がオン）を経て、同様に開放状態で停止させる。
【００２３】
又、図示しない閉塞指定スイッチが操作されると、そのとき図３に示す開放状態（ＳＷ１，ＳＷ２が共にオフ）ならば、上記の開閉制御回路は、モータ１６を始動させ、その後に図４，図５に示す状態を経て、図１に示すように、ＳＷ１がオフ、ＳＷ２がオンになると、その時点でモータ１６を停止させて閉塞状態にする。又、制御電源がオフの状態でエスカッション２が手動操作されて、ＳＷ１，ＳＷ２が共にオフ（図５に示す閉塞状態）に移動されている場合には、モータ１６が始動された後に、図２に示す閉塞状態（ＳＷ１がオフ、ＳＷ２がオン）になると、同様に該閉塞状態で停止させる。
【００２４】
以上の実施形態例によれば、駆動系の回転方向を一方向のみに設定してエスカッション２を開放状態又は閉塞状態に停止させるようにしたので、モータ１６の駆動のために供給電源の極性を反転させる回路等も不要であってその制御回路が単純化される。又、揺動伝達アーム１９は、その回転中心の係合ピン１９Ａの位置が回転板１３の回転と共に適正な移動を伴って揺動して、リンク機構を作動させるようにしたので、リンク機構の各要素を設定するための自由度が増大し、機構的にも無理のない構成になし得る。
【００２５】
以上の実施形態例においては、揺動伝達アーム１９は、その枢支点をなしている係合ピン１９Ａがスリット１５中を移動するようにしたが、該係合ピン１９Ａに代えて、回転板１３に枢支点を固定させて枢支させる構成にしてもよい。この場合の枢支点は例えば、スリット１５と同様な回転角度位置に設定し、スリット１５中の適宜な位置に相当させて選定される。この場合も、枢支点が回転板１３の回転と共に移動して揺動伝達アームが揺動するので、先の揺動伝達アーム１９を用いた場合よりもリンク機構の各要素を設定するための自由度は小さいが、同様に機構的にも無理のない構成になし得る。
【００２６】
【発明の効果】
請求項１記載の発明によれば、機器本体における高さの中間位置に一端側が枢支されエスカッションの上端近傍に他端側が枢支されている第１の揺動アームと、第１の揺動アームの機器本体における枢支点よりも前方寄りで且つ低い位置に一端側が枢支されエスカッションが機器本体を覆った状態における第１の揺動アームの各枢支点の中間位置に他端側が枢支されている第２の揺動アームと、第１の揺動アームにおける一端側の枢支点と共通の位置を中心に回転する回転板と、該回転板を一方向に回転駆動する回転駆動部と、一端が回転板の周縁近傍の部位に枢支され他端側が第２の揺動アームにおける各枢支点の中間位置に枢支されている揺動伝達アームとを備えていて、開閉状態検出手段によって、エスカッションによる所定の開放状態と閉塞状態とに対応した回転板の回転位置を検出し、その検出結果に基づいて定位置停止手段によって、エスカッションを開放位置又は閉塞位置に停止させるようにしたので、回転駆動部の構成が単純化された上で、エスカッションの開閉機能を向上させることが可能になる。
【００２７】
そして請求項２記載の発明によれば、請求項１における回転板が、ほぼラジアル方向に延びるスリットを有し、揺動伝達アームの一端側が該スリット中を摺動可能に係支されているので、請求項１におけると同様な効果が得られる。
【００２８】
また、回転方向が一方向の回転のみで、開放及び閉塞位置にエスカッション２を動作可能としているため、従来方式のように駆動系の回転の往復が不要となりモーターを正転／逆転を必要としないため、反転回路も不要となる。
【図面の簡単な説明】
【図１】本発明の実施の形態例を示す電子機器におけるエスカッションの開閉機構図である。
【図２】エスカッションの開閉動作説明図であり、閉塞状態を示している。
【図３】エスカッションの開閉動作説明図であり、開放状態を示している。
【図４】エスカッションの開閉動作説明図であり、開放状態から閉塞状態に移行する過程の状態を示している。
【図５】エスカッションの開閉動作説明図であり、閉塞状態に移行した直後の状態を示している。
【図６】従来の電子機器におけるエスカッションの開閉機構を示す側面図であり、閉塞状態を示している。
【図７】図６に示すエスカッションの開閉機構を示す側面図であり、開放状態を示している。
【符号の説明】
１  機器本体
２  エスカッション
１１  第１の揺動アーム
１２  第２の揺動アーム
１３  回転板
１５  スリット
１６  モータ
１９  揺動伝達アーム
【図１】
0004163337.tif 000002
【図２】
0004163337.tif 000003
【図３】
0004163337.tif 000004
【図４】
0004163337.tif 000005
【図５】
0004163337.tif 000006
【図６】
0004163337.tif 000007
【図７】
0004163337.tif 000008